(57)【要約】【課題】  地すべりに伴う特定箇所の変位量を、伸縮の両方向で測定可能としかつ測定可能な許容範囲を拡大して、高精度に測定できるＦＢＧ光ファイバセンサを用いた地すべり計を提供する。【解決手段】  ＦＢＧ光ファイバセンサを用いた地すべり計２であって、地面に所定間隔をおいて設置された杭９と、これらの杭９間に直列に接続された弾性部材５およびコイルバネ６と、前記弾性部材５に取付けられ、該弾性部材５のひずみを検出するＦＢＧ光ファイバセンサ４とを有している。【選択図】        図１
2005257315.tif 000002
【特許請求の範囲】
【請求項１】
地面に所定間隔をおいて設置された杭と、これらの杭間に直列に接続された弾性部材およびコイルバネと、前記弾性部材に取付けられ、該弾性部材のひずみを検出するＦＢＧ光ファイバセンサとを有したことを特徴とするＦＢＧ光ファイバセンサを用いた地すべり計。
【請求項２】
前記コイルバネのバネ定数を所定に設定して、前記弾性部材およびコイルバネを介装した杭間の距離変化量と前記弾性部材のひずみ量との比例関係を予め任意に設定していることを特徴とする請求項１記載のＦＢＧ光ファイバセンサを用いた地すべり計。
【請求項３】
前記弾性部材の弾性係数を所定に設定して、前記弾性部材およびコイルバネを介装した杭間の距離変化量と前記弾性部材のひずみ量との比例関係を予め任意に設定していることを特徴とする請求項１または２に記載のＦＢＧ光ファイバセンサを用いた地すべり計。
【発明の詳細な説明】
【技術分野】
【０００１】
この発明は、地面の特定の２点間の変位量を、弾性部材のひずみに変換しこのひずみ量をＦＢＧセンサによって測定して、変位量を観測するように構成したＦＢＧ光ファイバセンサを用いた地すべり計に関し、地すべり調査における地すべり斜面の挙動調査に好適なものである。
【背景技術】
【０００２】
従来、地すべり斜面の挙動調査としては、光ファイバセンサを用いた調査方法が知られており、この方法では、光ファイバセンサを斜面地表面下に埋設する方法や、地表面に連続的に間隔をおいて移動杭を打設しこれらの移動杭間に光ファイバセンサを張る方法が用いられている。すなわち、地すべりに伴う地面の２点間の距離変化としての移動量を、直接、光ファイバの伸張量に変換し、このように伸張された光ファイバの光信号伝達特性の変化を計測することにより、前記の移動量を検出するセンサとして光ファイバを用いていた。
【０００３】
また、被計測物に沿って配設され伸縮率に応じた特定波長の光を反射するＦＢＧ部を有するセンサ用光ファイバと、このセンサ用光ファイバのＦＢＧ部にて反射した光から、センサ用光ファイバの伸縮を検出する計測器とを有し、センサ用光ファイバの伸縮の検出結果に基づいて被計測物の歪みを計測する歪み計測装置であって、この歪み計測装置が設置された設置場所の温度が変化しても、ＦＢＧ部の反射あるいは反射波長を一定に保つことのできる温度補償手段を設けて温度補償した歪み計測装置が知られている（例えば、特許文献１）。すなわち、温度補償手段は、ＦＢＧ部を、包囲部材および支持部材を順次介して、被計測物に固定された固定部に固定し、これらの支持部材および包囲部材の線膨張率および／または弾性率を、設置場所の周囲温度が上昇した場合にＦＢＧ部の長さを減少させ、反対に低下した場合にＦＢＧ部の長さを増加させるように、所定に異ならせた構成としており、この構成によって、温度上昇または下降によりＦＢＧ部の長さが変動することを打ち消すようにしているので、温度変化の影響を受けることなくＦＢＧ部の反射あるいは反射波長を、被計測物の歪みだけを反映したものに保てるとされている。
【０００４】
【特許文献１】特開２００３−６５７３１号公報（第６，７頁、図２）
【発明の開示】
【発明が解決しようとする課題】
【０００５】
しかしながら、上記の方法では、光ファイバセンサに生じる引張ひずみを観測しているので、斜面の変状に伴う引張量が大きい場合に光ファイバが断線することや、圧縮量の観測が難しいなどの問題点があった。他方、上記の歪み計測装置では、被計測物の歪みを支持部材および包囲部材を順次経由してＦＢＧ部に伝達して検出し、これらの支持部材および包囲部材の線膨張率および／または弾性率の差を、予め温度補償ができる差に設定しており、温度以外の被計測物の歪みを直接、ＦＢＧ部に伝達しているので、計測装置として測定可能な許容範囲が、ＦＢＧ部自体の変形が可能な範囲によって制約されるという問題がある。
【０００６】
そこでこの発明は、前記従来の問題点を解決し、地すべりに伴う特定箇所の変位量を、伸縮の両方向で測定可能としかつ測定可能な許容範囲を拡大して、高精度に測定できるＦＢＧ光ファイバセンサを用いた地すべり計を提供することを目的とする。
【課題を解決するための手段】
【０００７】
前記課題を解決するために、請求項１に記載の発明は、ＦＢＧ光ファイバセンサを用いた地すべり計であって、地面に所定間隔をおいて設置された杭と、これらの杭間に直列に接続された弾性部材およびコイルバネと、前記弾性部材に取付けられ、該弾性部材のひずみを検出するＦＢＧ光ファイバセンサとを有している。
【０００８】
請求項２に記載の発明は、請求項１において、前記コイルバネのバネ定数を所定に設定して、前記弾性部材およびコイルバネを介装した杭間の距離変化量と前記弾性部材のひずみ量との比例関係を予め任意に設定している。
【０００９】
請求項３に記載の発明は、請求項１または２において、前記弾性部材の弾性係数を所定に設定して、前記弾性部材およびコイルバネを介装した杭間の距離変化量と前記弾性部材のひずみ量との比例関係を予め任意に設定している。
【発明の効果】
【００１０】
この発明によれば、杭間距離の変化量を、コイルバネおよび弾性部材を経由させながら順次、所定に変換して、最終的にＦＢＧセンサが測定したひずみ量として捉える構成なので、地すべり斜面の大きな伸縮量を高い精度により観測できる。すなわち、地すべりなどによる地面の２点間の移動量を、光ファイバの伸張量に変換して計測した従来の構成では、光ファイバ自体の材料特性に依存した最大伸張量が計測可能な範囲となり、しかも予め固定的に決定されているのに対して、この地すべり計によれば、コイルバネおよび弾性部材を介在させて、移動量から弾性力、弾性力からひずみにそれぞれ、所定の比例関係を確保して変換し、このひずみ量をＦＢＧセンサによって検出することにより、前記の移動量を計測しているので、計測可能な範囲が１つの部材の材料特性に依存することや、伸張方向にだけ計測可能な制約を解消できる。
【００１１】
またこの発明によれば、前記の比例関係を調整できるので、測定範囲の拡大や測定精度の向上を図れる。すなわち、杭間距離の変化量つまり伸縮量の大きさに応じた弾性力の比率を規定するコイルバネのバネ定数や、この弾性力を外力として受けて内部に生成するひずみ量の比率を規定する弾性部材の弾性係数を、適宜、選択したり、選択した２つを組合わせたりすることによって、杭間距離の変化量とひずみ量との比例関係を予め適切なものとできる。このため、様々な設置環境に柔軟に対処して最適な地すべり計にできるので、地すべり計の適用範囲を拡大できる。
【発明を実施するための最良の形態】
【００１２】
この発明の実施の形態を、添付図面を参照して説明する。
【００１３】
この発明の実施形態を図面により説明する。図１は、この地すべり計を野外の傾斜面に設置地して地すべり移動量を計測する地すべり計測装置の全体構成を示す概略図であり、図２は、地すべり計の詳細構成を示す拡大図である。
【００１４】
すなわち、図１および図２に示すように、計測システムとしての地すべり計測装置１は、図示しない地山の傾斜面などの観測箇所に埋設されて設置された複数の地すべり計２と、これらの地すべり計２から光信号による測定データを取得して、各地すべり計２が設置された箇所の地すべり移動量を記録する計測器３とから構成されている。
【００１５】
この地すべり計２は、ＦＢＧ光ファイバセンサ（以降、ＦＢＧセンサと称する）４、弾性部材５、コイルバネ６、保護パイプ７、センサ地盤固定金具８、杭９とから構成されている。すなわち、この地すべり計２は、ＦＢＧセンサ４を長尺状の弾性部材５に貼り付け、この弾性部材５の一端にコイルバネ６の一端を接続して、この一本化したコイルバネ６及び弾性部材５の両端を、センサ地盤固定金具８に結合した構成とされ、両センサ地盤固定金具８を介して、観測箇所の地面の２点として所定間隔をおいて地面に固定された杭９，９間に略直線状となるように取り付けており、また複数の地すべり計２を概略直線状に揃えるように埋設し、地すべり計２同士の間の杭９を共有しながら、弾性部材５、コイルバネ６とが交互に連続するように配置されている。また、これらの地すべり計２のＦＢＧセンサ４は、それぞれの間が信号伝達用の光ファイバ１０によって接続されるとともに、始端となるＦＢＧセンサ４は、同じ光ファイバ１０を介して計測器３が接続されており、計測器３から各ＦＢＧセンサ４を経由して末端のＦＢＧセンサ４に至るまで光信号伝達経路となる単一の光路が形成されている。
【００１６】
なお、地すべり計測装置１は、傾斜面に設定した特定の領域を観測対象としており、その地すべり計２の配置方法としては、直線状やグリッド状に配置する方法がある。すなわち、直線状配置では、例えば図３（ａ）に示すように、傾斜面の地すべり斜面領域Ａを、この傾斜面の高低方向に沿って直線状に横断して連続して設置された所定数の地すべり計２からなるセンサライン２Ａを、互いに所定間隔をおいて複数、配列した配置としている。またグリッド状配置では、図３（ｂ）に示すように、同地すべり斜面領域Ａを、前記のように高低方向に沿った直線状のセンサライン２Ａを、複数、配列したものと、この高低方向に対して直交するなど交差する方向に沿って直線状に横断して連続して設置した所定数の地すべり計２からなるセンサライン２Ｂを、互いに所定間隔をおいて複数、配列したものとを組合わせた配置としている。
【００１７】
再び図１および図２に示すように、ＦＢＧセンサ４は、単一モードの光ファイバの一部分に、等間隔に屈折率を異ならせた回折格子を形成して、この部分をＦＢＧ（Fiber Bragg Grating、ブラッグ格子型光ファイバ）センサ素子としたものであり、このＦＢＧセンサ素子の部分を、専用の固定金具や接着剤などによって、予め弾性部材５の長手方向の略中央箇所の外周に密着して貼り付け、この貼り付けた弾性部材５の箇所の部分的な微少変位であるひずみ量を正確に測定できるようしている。
【００１８】
このＦＢＧセンサ素子はＦＢＧセンサ４として、屈折率ｎとその屈折率の異なる格子間隔Λに依存した特定の波長λＢ（λＢ＝２ｎΛ）の光だけを反射する性質を有し、この反射波長λＢがブラッグ波長と呼ばれている。このブラッグ波長は、ＦＢＧセンサ素子がひずみを受けたとき変化して、ＦＢＧセンサ素子から得られる反射光信号の周波数がシフトすることが知られている。すなわち、ＦＢＧセンサ素子に広帯域波長の光を入力すると、ＦＢＧセンサ素子からは特定の波長を有する光信号だけが反射される。このＦＢＧセンサ素子がひずみを受けると、その反射波の波長がひずみに応じて変化する。このように波長が変化した反射光を光スペクトルアナライザーなどに入力して分析すれば、ＦＢＧセンサ素子が受けたひずみ量を検出できる。
【００１９】
また、ＦＢＧセンサ素子は、広帯域波長の光のうち、ブラッグ波長と呼ばれる光の波長成分だけを反射し、残りの成分は透過させるセンサ素子であり、このブラッグ波長は、その回折格子の格子間隔を所定に形成することによって、各ＦＢＧセンサ４毎に固有で互いに重複しないものに設定できる。このため、１本の光ファイバ１０上に複数のＦＢＧセンサ４センサを直列に配置しても、各ＦＢＧセンサ４からの検出信号を区別して取得できる多重化を可能にしている。
【００２０】
すなわち、これらのＦＢＧセンサ４は、それぞれが同じひずみを受けた場合にも、各ＦＢＧセンサ４から得られる反射光信号の帯域が互いに異なるように予め設定した回折格子が形成されており、かつ地すべり計２が所定に設置された場合には、各地すべり計２の弾性部材５に貼着された各ＦＢＧセンサ４を１回だけ通過した１本の光路を形成するように、光ファイバ１０を引き回して接続している。なお、隣りあったＦＢＧセンサ４同士を接続した光ファイバ１０には、地すべりが生起してＦＢＧセンサ４同士の距離が離れた場合にも、光ファイバ１０が断線しない程度の余分の長さが、予め確保されている。
【００２１】
したがって、このように設定した複数のＦＢＧセンサ４を単一の光信号伝達路上に配置した構成によれば、各ＦＢＧセンサ４を用いて、同時に多点を計測することができる。他方、ＦＢＧセンサ４を光信号伝達経路として光ファイバ１０から独立させて別体にユニット化した構成としたので、ＦＢＧセンサ４を個別に交換でき、保守整備が容易となる。また、地すべり計２が設置されて既に形成されている既存の観測ラインに、光ファイバ１０とＦＢＧセンサ４とを継ぎ足して追加していけば、観測領域を拡張できるので、柔軟な観測計画の変更が可能となる。
【００２２】
計測器３は、その光信号の入出力部が光ファイバ１０の一端に接続されており、この光ファイバ１０を介して入出力部から各ＦＢＧセンサ４に向けて広帯域波長の光信号を出力するとともに、少なくとも、逆経路で各ＦＢＧセンサ４から入出力部に入力される光反射信号を解析して、これらの各光反射信号の波長変化の計測、記録が可能な機能を有している。
【００２３】
弾性部材５は、所定の長さを有した長尺形状とされ、弾性部材全体の強度が一様に安定して均一であり、その長手方向の両端のいずれかからでも、引っ張り力または圧縮力の外力を受けた場合に、内部に形成されるひずみが局部的に片寄らないものであれば、特にその材料を限定することなく、またその長さや横断面形状、各部の寸法も任意なものでよい。すなわち、弾性部材５は、外力に対して応答するひずみ量を規定する弾性係数などの係数が予め知られており、測定条件に応じたものであればよい。この実施形態では、このような材料特性が周知でしかも安定した均一な品質が得られる安価なものとして、長棒状に形成した金属部材を選択しており、例えばバネ鋼を用いている。また、数年に渡って長期観測する場合には、弾性係数に関連する材料強度が、経年劣化する度合いの少ないものが望ましい。
【００２４】
コイルバネ６は、一般的なコイルスプリング（線型バネ）とされ、所定長さに所定の巻数で形成され、測定条件に応じたバネ定数が予め設定されており、無負荷状態の自然長から伸縮されると、この伸縮量の大きさに正比例し、かつバネ定数で規定された大きさの弾性力を生成する。したがって、コイルバネ６は、杭９間の距離変化に伴い伸張されて生じるバネ弾性力を、弾性部材５に引っ張り力として付与して、弾性部材５にひずみが生じさせるようにしている。また、このコイルバネ６のバネ定数は、コイルバネ６自体の材質に加えて、バネの設計要素である自然長や、コイル径、線径、ピッチなどの各部の諸寸法を設定することにより、適宜、自在に変更できるものとされている。
【００２５】
弾性部材５およびコイルバネ６の長手方向の大部分は、所定径および所定長さが確保された保護パイプ７内に収納されて、保護されており、またこの保護パイプ７は、伸縮性を有したものとされ、コイルバネ６と弾性部材５の伸縮に追従して伸縮させて、コイルバネ６と弾性部材５とが自由に伸縮できるようにしている。また弾性部材５およびコイルバネ６を、杭９間に取付けるセンサ地盤固定金具８の構成は、特に限定しないが、このセンサ地盤固定金具８としては、自在継ぎ手などのように、杭９間の距離変化だけを杭９間に介装したコイルバネ６および弾性部材５に伝達し、両者５、６、９間の相対的なねじれなどを伝達しない構成が好ましい。
【００２６】
なお、本発明者は、上記の構成で、引っ張り方向などの変位量と、ＦＢＧセンサが捕捉した弾性部材のひずみ量とは明確に正の比例関係が成立し、線形の関係があることを確認した。
【００２７】
杭９は、所定の強度を有した部材が用いられ、この杭９を設置する場合には、直立させた姿勢でその基部が充分な深さに埋設して設置しており、地すべりによる移動以外は設置箇所から移動しないようにしている。
【００２８】
次に、上記の構成の地すべり計２の設置手順を説明する。すなわち、地すべり計２を地すべり斜面に設置する場合には、まず斜面における観測箇所を深さ数１０ｃｍ程度掘削して地すべり計設置用の溝を形成し、次に、地すべり計の一方のセンサ地盤固定金具８を打設した杭９に固定し、地すべり計に引張力を加え適度に伸ばし、この伸ばした状態で他方のセンサ地盤固定金具８を地面に固定するように杭９を打設する。この作業を繰り返して、所定数の地すべり計２を設置し終えたら、最終的に、溝を土砂で埋め戻して、すべての地すべり計２を埋設すると、設置作業が完了する。
【００２９】
このように、地すべり計２を観測箇所に埋設して設置しているので、地すべり計２の観測結果に対して、日射や風量による温度変化などのように外部（地表面）環境からの影響が抑制される。他方、地すべり計２のコイルバネ６および弾性部材５は、保護パイプ７内に収納され、しかも地中に埋設されその周囲を土砂で囲まれた状態で設置されているので、地すべりなどによって杭９同士の距離が変化した際には、折れ曲がったり、湾曲して撓んだりしてその長さ方向に対して横方向に変形させることなく、長さ方向にだけ伸縮するように変形させることができる。このため、杭９間距離の変化量を反映した縦ひずみ量を、弾性部材５の内部に生成させることができる。
【００３０】
次に、地すべり計測装置１としての全体動作を説明する。すなわち、ある場所における地すべりによる杭９同士間の距離の変化は、その大部分がコイルバネ６の伸縮に費やされ、バネ伸縮量に変換される。このため、この伸縮量に応じた強さのバネ弾性復帰力がコイルバネ６に生成される。そして、このバネ弾性力が弾性部材５にその軸長手方向の外力として加えられ、弾性部材５に縦ひずみである引っ張りひずみが形成される。このようにして生成された引っ張りのひずみ量をＦＢＧセンサ４によって検出する。したがって、地すべり斜面の伸縮は、コイルバネ６の伸縮として捉え、更にコイルバネ６の伸縮は弾性部材のひずみに変換され、このひずみはＦＢＧセンサ４によってひずみ量を表わした光信号に変換される。このような過程で順次、変換される各物理量同士の間には、所定に明確な比例関係があるので、ＦＢＧセンサ４が測定したひずみ量から、地すべりによる杭９間の距離を変化させた地すべり移動量を正確に測定できる。すなわち、これらの各設置箇所の地すべり計２から検出用の光信号が、光ファイバ１０を介して計測器３に入力され、この計測器３によって、所定に解析および記録が行なわれる。
【００３１】
以上のように、この実施形態のＦＢＧセンサを用いた地すべり計によれば、光ファイバを単体でセンサとするものに比べて、安価で格段に地すべり斜面の大きな伸縮量を高い精度により観測できる。すなわち、地すべり移動に伴い直接的に引っ張り変形された光ファイバをセンサとした従来の構成では、光ファイバ自体の材料特性によって最大伸張量が決定され計測可能な範囲の限界となり、しかも変更の余地が少ないのに対して、この地すべり計では、地すべり移動量の大きさに応じた大きさの弾性力をコイルバネに生成させ、この生成した弾性力によって、弾性部材にひずみを生成させ、このひずみ量をＦＢＧセンサによって検出して、地すべり移動量を計測しているので、前記の移動量を弾性力に変換するコイルバネの変換特性や、弾性力を受けてひずみに変換する弾性部材の変換特性を所定に設定することにより、センサとして高感度にして測定精度を向上させたり、測定可能な地すべり移動量の大きさを拡大したりできる。
【００３２】
例えば、地すべりに伴う地面の特定の２点間の移動量を、光ファイバの伸張量に変換して計測した従来の構成では、光ファイバに形成可能な引張ひずみの範囲（観測可能な範囲）が１％程度であることから、移動の激しい地すべり地域の観測は、この限度範囲を光ファイバの伸張量が越えて、光ファイバ自体が断線してしまい観測不能となることがあるのに対して、この地すべり計では、コイルバネを介在させて、弾性部材に生成したひずみ量を測定しているので、ひずみ量の観測可能な範囲が１ｍの区間で±１００ｍｍ（ひずみ量で±１０％）となり、移動の激しい地すべり発生地での観測が可能となる。このため、この地すべり計が観測対象とする地すべり斜面の適用範囲を拡大できる。
【００３３】
これに加えて、地すべりに伴う地面の２点間距離の変化を表わす杭間距離の変化量を、これらの杭同士の間に弾性部材およびコイルバネを直列的に接続し、このコイルバネの弾性力によって、弾性部材に引っ張りひずみを形成するようにしているので、このコイルバネのバネ定数を適宜、所定に選択することによって、バネ伸縮量つまり前記の杭間距離の変化量に応じてコイルバネから生成される弾性力の強さを調節することができる。
【００３４】
すなわち、例えば高いバネ定数を有したコイルバネを用いた場合には、より少ないバネ伸縮量で大きな弾性復帰力を生じるので、僅かな地すべり移動量でも、比較的に多くのひずみ量を弾性部材に生成でき、高い感度を有した地すべり計にできる。これに対して、低いバネ定数を有したコイルバネを用いた場合には、バネ伸縮量がより大きくならないと、充分に大きな弾性復帰力が生じないので、大きな地すべり移動量でも、比較的に少ないひずみ量を弾性部材に生成でき、地すべり計として測定可能な地すべり移動量の範囲を広く設定することができる。このように、地すべり計を設置する地すべり斜面に予め予測される地すべり移動量の計測に適したバネ定数や、予め最も観測したい地すべり移動量の計測に適したバネ定数を、適宜、選択して設定することにより、観測計画に適した測定可能な許容範囲や測定精度を得ることができる。
【００３５】
同様に、弾性部材の弾性係数を適宜、所定に選択することによって、前記のコイルバネから付与される弾性力の強さに応じて、弾性部材に形成されるひずみ量の比率を調節することができる。すなわち、例えば低い弾性係数を有した弾性部材を用いた場合には、僅かな外力が加えられても、比較的に多くのひずみ量が生成されるので、結局、僅かな地すべり移動量でも測定可能な高い感度を有した地すべり計にできる。他方、高い弾性係数を有した弾性部材を用いた場合には、大きな外力が作用しても、より少ないひずみ量が生成されるので、結局、地すべり計として測定可能な地すべり移動量の範囲を広くできる。このように、適宜の弾性係数を有した弾性部材を選択することにより、コイルバネと同様に、観測計画に適した測定可能な許容範囲や測定精度を得ることができる。したがって、これらの結果、地すべり移動量と弾性部材に生成されるひずみ量との比例関係を設定する自由度を向上できるので、この地すべり計によれば、地すべり挙動を把握する観測精度を確保しながら、測定範囲を拡充することが可能となる。
【００３６】
また、ひずみを検出して測定する測定系の構成としては、地すべり挙動検出にＦＢＧセンサおよび信号伝送路に光ファイバとからなる固定的な構造としていることから、機械的な可動部を無くすことができ、また多数のセンサを用いても各センサに給電しなくてよく、しかも単一の計測ラインで同時に多点を計測できるので、設置が容易で、信頼性の高い安価なものとなる。他方、計測量の伝達媒体として光信号を用いているので、電磁誘導による電気ノイズや誘導雷の影響を受けずに済む。すなわち、センサラインとして非導電性の光ファイバを用いているので、落雷がセンサラインを伝わって、このセンサラインに接続された計測機器が損傷することも皆無となる。さらに、このため、信号伝送路の最大延長距離として２ｋｍ程度を確保でき、地すべり移動量の広範囲な領域における観測が可能になる。
【００３７】
なお、上記の実施形態においては、地山の地すべり斜面の挙動調査に適用した例を説明したが、これに限られることなく、地盤や岩盤などを種々の目的で挙動調査する例に適用してよい。
【００３８】
さらに、この実施形態では、ＦＢＧセンサを光ファイバから独立させて別体のユニット化した構成としたが、これに限られることなく、光ファイバに直接、回折格子を形成する加工を施して、ＦＢＧセンサを光ファイバに一体に形成してもよく、この構成によれば、予めＦＢＧセンサ機能を有した光ファイバとして単体部品に１本化されているので、伝達用および検出測定用の光路としての安定度や信頼度を高めることができ、さらに計測精度の向上を図ることが可能となる。
【図面の簡単な説明】
【００３９】
【図１】この発明の実施形態の地すべり計を示し、地山の傾斜面に地すべり計を設置した地すべり計測装置の全体構成を示す概略図である。
【図２】この実施形態の地すべり計を示し、地すべり計の詳細構成を示す拡大概略図である。
【図３】この実施形態の地すべり計の配置方法を示し、（ａ）は、直線状配置を、（ｂ）は、グリッド状配置を示す概略図である。
【符号の説明】
【００４０】
１  地すべり計測装置                      ２  地すべり計
２Ａ，２Ｂ  センサライン                  ３  計測器
４  ＦＢＧセンサ（ＦＢＧ光ファイバセンサ）５  弾性部材
６  コイルバネ                            ７  保護パイプ
８  センサ地盤固定金具                    ９  杭
１０  光ファイバ（検出信号伝達用）        Ａ  地すべり斜面領域（観測領域）
【図１】
2005257315.tif 000003
【図２】
2005257315.tif 000004
【図３】
2005257315.tif 000005